(57)【要約】【課題】バッグ本体を折り畳み傘の長さに応じた大きさに折り畳むことのできる手提げバッグを提供する。【解決手段】長い折り畳み傘を収納する場合は、バッグ本体１をポケット２の幅方向に折り畳むことにより、ポケット２の長さを長い折り畳み傘に対応する長さにし、短い折り畳み傘を収納する場合は、バッグ本体１をポケット２の上下方向所定位置からバッグ本体１の上下方向に折り返した後、バッグ本体１をポケット２の幅方向に折り畳むことにより、ポケット２の長さを短い折り畳み傘に対応する長さにするようにしたので、バッグ本体１を折り畳み傘の長さに応じた大きさに折り畳むことができ、携帯時に極めて有利である。【選択図】図６
0003127875.tif 000002
【実用新案登録請求の範囲】
【請求項１】
バッグ本体に折り畳み傘を収納可能なポケットを設け、ポケットを折り畳み傘の長手方向に延びるように形成した手提げバッグにおいて、
前記バッグ本体を、ポケットの長手方向所定位置からポケットの長手方向に折り返し可能に形成するとともに、ポケットが外側に位置するようにポケットの幅方向に折り畳み可能に形成した
ことを特徴とする手提げバッグ。
【請求項２】
前記バッグ本体を折り畳んだ状態で保持する留め具を備えた
ことを特徴とする請求項１記載の手提げバッグ。
【考案の詳細な説明】
【技術分野】
【０００１】
本考案は、折り畳み傘を収納するポケットを有し、小さく折り畳んで持ち運び可能な手提げバッグに関するものである。
【背景技術】
【０００２】
従来、この種の手提げバッグとしては、折り畳み可能なバッグ本体の下面に折り畳み傘を収納可能なポケットを有し、バッグ本体を折り畳んでカバン等に入れて携行することにより、買い物等で手荷物が生じた場合にはバッグ本体を広げて荷物を収納するとともに、バッグ本体のポケットには折り畳み傘を収納できるようにしたものが知られている（例えば、特許文献１参照。）。
【特許文献１】特開平８−３８２２８号公報
【考案の開示】
【考案が解決しようとする課題】
【０００３】
ところで、折り畳み傘には２段折りと３段折りのものがあり、それぞれ折り畳んだときの長さが異なるが、前記手提げバッグはバッグ本体を折り畳んだ状態が一定の大きさであるため、折り畳み傘の長さに応じた大きさに折り畳むことができない。このため、例えば２段折り用の大きさに折り畳むように形成した場合には、３段折りの傘を収納するときは大きすぎて嵩張り、３段折り用の大きさに折り畳むように形成した場合には、２段折りの傘を収納するときは小さすぎて収納することができなかった。
【０００４】
本考案は前記問題点に鑑みてなされたものであり、その目的とするところは、バッグ本体を折り畳み傘の長さに応じた大きさに折り畳むことのできる手提げバッグを提供することにある。
【課題を解決するための手段】
【０００５】
本考案は前記目的を達成するために、バッグ本体に折り畳み傘を収納可能なポケットを設け、ポケットを折り畳み傘の長手方向に延びるように形成した手提げバッグにおいて、前記バッグ本体を、ポケットの長手方向所定位置からポケットの長手方向に折り返し可能に形成するとともに、ポケットが外側に位置するようにポケットの幅方向に折り畳み可能に形成している。
【０００６】
これにより、長い折り畳み傘を収納する場合は、バッグ本体を幅方向に折り畳むことにより、ポケットの長さが長い折り畳み傘に対応する長さになり、短い折り畳み傘を収納する場合は、バッグ本体をポケットの長手方向所定位置からポケットの長手方向に折り返した後、バッグ本体を幅方向に折り畳むことにより、ポケットの長さが短い折り畳み傘に対応する長さになる。
【考案の効果】
【０００７】
本考案の手提げバッグによれば、長い折り畳み傘と短い折り畳み傘の何れを収納する場合でも、バッグ本体を折り畳み傘の長さに応じた大きさに折り畳むことができるので、携帯時に極めて有利である。
【考案を実施するための最良の形態】
【０００８】
図１乃至図８は本考案の一実施例を示すもので、図１は手提げバッグの全体図、開口部を閉めた状態を示す手提げバッグの全体図、図３はバッグ本体を折り畳んだ状態を示す手提げバッグの全体図、図４及び図５は長い傘用の折り畳み工程を示す正面図、図６乃至図８は短い傘用の折り畳み工程を示す正面図である。
【０００９】
この手提げバッグは、折り畳み可能なバッグ本体１と、バッグ本体１の外面に設けられた傘収納用のポケット２と、バッグ本体１の上部を絞る一対の紐３とから構成されている。
【００１０】
バッグ本体１は上面を開口した袋状に形成され、その上端には一対の提げ手１ａが設けられている。バッグ本体１の上端縁には各紐３を挿通する挿通部１ｂが設けられ、挿通部１ｂはバッグ本体１の幅方向一端側と他端側の二箇所でそれぞれ開口している。また、バッグ本体１の正面略中央と背面の幅方向一端側には互いに着脱自在に結合する留め具としての周知の一対のスナップファスナ１ｃ，１ｄが設けられ、各スナップファスナ１ｃ，１ｄはバッグ本体１を折り畳むと互いに対向する面に位置するようになっている。
【００１１】
ポケット２は縦長に形成され、上端が開口するようにバッグ本体１の正面の幅方向一端寄りに設けられている。この場合、ポケット２はその下端がバッグ本体１の下端と一致するように配置されている。
【００１２】
各紐３はそれぞれバッグ本体１の上端縁を一周するようにバッグ本体１の挿通部１ｂを挿通するとともに、その両端を結合され、一方の紐３はバッグ本体１の幅方向一端側から結び目３ａを外部に配置し、他方の紐３はバッグ本体１の幅方向他端側から結び目３ａを外部に配置している。即ち、各紐３をそれぞれバッグ本体１の幅方向外側に向かって引張ると、図２に示しようにバッグ本体１の上部が絞られてバッグ本体１の開口部が閉じるようになっている。
【００１３】
以上のように構成された手提げバッグにおいて、図３に示すようにバッグ本体１を小さく折り畳むことにより、ポケット２に折り畳み傘Ａを収納して持ち運ぶことができる。その際、例えば２段折りの折り畳み傘を収納する場合は、図４に示すようにバッグ本体１を幅方向一端側から順に第１乃至第３の折り曲げ位置Ｐ1 ，Ｐ2 ，Ｐ3 でポケット２の幅方向に折り畳んだ後、図５に示すようにバッグ本体１を幅方向他端側の第４の折り曲げ位置Ｐ4 でポケット２の幅方向に折り畳み、各スナップファスナ１ｃ，１ｄをバッグ本体１の背面側で結合する。これにより、ポケット２の上下方向の長さは、２段折りの折り畳み傘用の第１の長さＬ1 となる。また、３段折りの折り畳み傘を収納する場合は、図６に示すようにバッグ本体１をポケット２の上下方向所定位置である第５の折り曲げ位置Ｐ5 から背面側に折り返し、図７に示すようにバッグ本体１を幅方向一端側から順に第１乃至第３の折り曲げ位置Ｐ1 ，Ｐ2 ，Ｐ3 でポケット２の幅方向に折り畳んだ後、図８に示すようにバッグ本体１を幅方向他端側の第４の折り曲げ位置Ｐ4 でポケット２の幅方向に折り畳み、各スナップファスナ１ｃ，１ｄをバッグ本体１の背面側で結合する。これにより、ポケット２の上下方向の長さは、第１の長さＬ1 よりも短い長さ、即ち３段折りの折り畳み傘用の第２の長さＬ2 となる。
【００１４】
このように、本実施形態の手提げバッグによれば、長い折り畳み傘を収納する場合は、バッグ本体１を第１乃至第４の折り曲げ位置Ｐ1 ，Ｐ2 ，Ｐ3 ，Ｐ4 でポケット２の幅方向に折り畳むことにより、ポケット２の長さを長い折り畳み傘に対応する第１の長さＬ1 にし、短い折り畳み傘を収納する場合は、バッグ本体１をポケット２の上下方向所定位置である第５の折り曲げ位置Ｐ5 からバッグ本体１の上下方向に折り返した後、バッグ本体１を第１乃至第４の折り曲げ位置Ｐ1 ，Ｐ2 ，Ｐ3 ，Ｐ4 でポケット２の幅方向に折り畳むことにより、ポケット２の長さを短い折り畳み傘に対応する第２の長さＬ2 にするようにしたので、バッグ本体１を折り畳み傘の長さに応じた大きさに折り畳むことができ、携帯時に極めて有利である。
【００１５】
また、バッグ本体１に設けた一対のスナップファスナ１ｃ，１ｄを互いに結合することにより、バッグ本体１を折り畳んだ状態で保持するようにしたので、折り畳んだバッグ本体１が不用意に開くことがなく、手に提げて持ち運ぶ場合に有利である。尚、スナップファスナ１ｃ，１ｄに代えて、例えば面ファスナや紐など、他の留め具を用いるようにしてもよい。
【図面の簡単な説明】
【００１６】
【図１】手提げバッグの全体図
【図２】開口部を閉めた状態を示す手提げバッグの全体図
【図３】バッグ本体を折り畳んだ状態を示す手提げバッグの全体図
【図４】長い傘用の折り畳み工程を示す正面図
【図５】長い傘用の折り畳み工程を示す正面図
【図６】短い傘用の折り畳み工程を示す正面図
【図７】短い傘用の折り畳み工程を示す正面図
【図８】短い傘用の折り畳み工程を示す正面図
【符号の説明】
【００１７】
１…バッグ本体、１ｃ，１ｄ…スナップファスナ、２…ポケット、Ａ…折り畳み傘。
【図１】
0003127875.tif 000003
【図２】
0003127875.tif 000004
【図３】
0003127875.tif 000005
【図４】
0003127875.tif 000006
【図５】
0003127875.tif 000007
【図６】
0003127875.tif 000008
【図７】
0003127875.tif 000009
【図８】
0003127875.tif 000010